(57)【要約】【課題】包装する商品を見やすくして訴求効果を高められるようにする。【解決手段】商品１２を収容する収容空間１３がシート材１５を折り曲げて形成された包装用容器１１において、シート材１５が、収容空間１３を支える支持台部５１と、支持台部５１と一体で収容空間１３の上部を通す露出穴５９を備えた保持枠部５３を有し、保持枠部５３には、露出穴５９から収容空間１３を出した状態を保持する固定構造６０を備える。収容空間には、商品１２を収容する透明の包装カプセル１７を収める。包装カプセル１７は上側包装部７１と下側包装部７２で構成し、これらの底部には互いに重なり合う重合片７３，７５が形成される。包装カプセル１７を受ける支持台部５１には、重合片７３，７５を重合片７３，７５の面方向に差し込んで保持する差し込み部５５を形成する。【選択図】図１
2017039520.tif 000002
【特許請求の範囲】
【請求項１】
商品を収容する収容空間がシート材を折り曲げて形成された包装用容器であって、
前記シート材が、前記収容空間を支える支持台部と、
該支持台部と一体で前記収容空間の上部を通す露出穴を備えた保持枠部を有し、
該保持枠部には、前記露出穴から前記収容空間を出した状態を保持する固定構造を備えた
包装用容器。
【請求項２】
前記収容空間に、前記商品を収容する包装カプセルが備えられた
請求項１に記載の包装用容器。
【請求項３】
前記包装カプセルが、上側包装部と下側包装部を有し、
前記上側包装部と前記下側包装部には互いに重なり合う重合片が形成され、
前記支持台部に、重なり合った状態の重合片が重合片の面方向に差し込まれる差し込み部が形成された
請求項２に記載の包装用容器。
【請求項４】
該包装カプセルが内部を透視可能とする透光性を有する
請求項２または請求項３に記載の包装用容器。
【請求項５】
前記支持台部が、前記収容空間の底面を視認可能にする窓部を有する
請求項１から請求項４のうちいずれか一項に記載の包装用容器。
【請求項６】
前記支持台部の近傍に、前記支持台部を剥がして開封する開封用ミシン目を備える
請求項１から請求項５のうちいずれか一項に記載の包装用容器。
【請求項７】
前記窓部が貫通穴であり、
前記包装カプセルの底面に、別の前記包装カプセルの上面が嵌合可能な凹部が形成された
請求項５または請求項６に記載の包装用容器。
【請求項８】
前記包装カプセルに、商品をガタつきなく保持する保持構造を備えた
請求項２から請求項７のうちいずれ一項に記載の包装用容器。
【請求項９】
前記保持枠部の両側部分に、露出穴を有する部分と交差する方向に延びる縦片が形成された
請求項１から請求項８のうちいずれか一項に記載の包装用容器。
【発明の詳細な説明】
【技術分野】
【０００１】
この発明は、たとえば薬品類、化粧品類、食品類などの各種商品を包装するのに好適に用いられる包装用容器に関し、より詳しくは、訴求効果を高められるような包装用容器に関する。
【背景技術】
【０００２】
商品を包装する包装容器には、陳列等の取り扱いのほか訴求効果も求められる。化粧品を陳列する容器として下記特許文献１の陳列台兼用容器がある。
【０００３】
この容器は、底板と、この底板の前端縁に連設されて傾斜する正面板を有し、正面板に複数の収納穴が形成されている。商品は収納穴に半分埋められた状態で収納され、商品を含む全体が透明のカバーで覆われる構成である。この容器は商品の運搬と展示に利用できる上に、商品が斜めに保持されていて見やすく、ディスプレー効果を上げることができる。
【０００４】
しかし、商品は正面板に一部埋まった状態で保持されているうえに正面板は全体がカバーで覆われており、商品によっては商品をよく見ることができない場合がある。
【０００５】
商品を必要に応じて取りだしてよく見られるようにする包装用容器が、下記特許文献２に開示されている。
【０００６】
特許文献２包装用容器は、打ち抜かれた紙を折って、糊付けなしで全体を囲む立体形状に組み立てて商品を収納し、必要に応じて取出しと再収納ができるようにしたものである。包装された商品が外から見えるように、前面板には窓が形成される。
【０００７】
しかしながら、前面板に形成された窓から見えるだけでは商品をよく見ることができない。結局は開封しなければならないことになる。このため、訴求効果は包装用容器の形や印刷に頼ることになるうえ、窓から見える部分以外は隠されることになるので、たとえば不正な改ざん等がなされても外観からは分からない。
【先行技術文献】
【特許文献】
【０００８】
【特許文献１】実公平７−５１４６７号公報
【特許文献２】登録実用新案第３０３１１０９号公報
【発明の概要】
【発明が解決しようとする課題】
【０００９】
そこでこの発明は、商品を見やすくして訴求効果を高められるようにすることを主な目的とする。
【課題を解決するための手段】
【００１０】
そのための手段は、商品を収容する収容空間がシート材を折り曲げて形成された包装用容器であって、前記シート材が、前記収容空間を支える支持台部と、該支持台部と一体で前記収容空間の上部を通す露出穴を備えた保持枠部を有し、該保持枠部には、前記露出穴から前記収容空間を出した状態を保持する固定構造を備えた包装用容器である。
【００１１】
前記収容空間とは、商品を収容する部分としてあいているところであって、少なくとも収容する商品全体を包む大きさの空間で、明確な境界がない場合を含む意味である。商品は、直接または間接的に収容空間に収容される。
【００１２】
この構成では、収容空間に収容される商品はシート材の支持台部に支持され、支持台部は固定構造で固定された保持枠部と共に商品を包装する。このとき保持枠部の露出穴が収容空間の上部を通すので、少なくともこの露出穴をとおして収容空間内の商品が見やすい状態にすることが可能である。また露出穴から突出する収容空間は、保持枠部とともに斬新な外観を生む。
【発明の効果】
【００１３】
この発明によれば、保持枠部から突出する収容空間を通して外部から商品を見やすくできるうえに、斬新な外観も手伝って訴求効果を高めることができる。
【図面の簡単な説明】
【００１４】
【図１】包装用容器の使用状態の斜視図。
【図２】包装用容器の分解斜視図。
【図３】包装カプセルの分解斜視図。
【図４】包装カプセルの平面図。
【図５】包装用容器の一部断面側面図。
【図６】シート材に包装カプセルを結合した状態の斜視図。
【図７】組み立ての最終段階の一例を示す背面図。
【図８】組み立ての最終段階の一例を示す背面図。
【図９】組み立ての最終段階の一例を示す背面図。
【図１０】陳列状態の一例を示す斜視図。
【図１１】他の例に係る包装カプセルの上側包装部の平面図。
【図１２】他の例に係る包装カプセルの平面図。
【図１３】他の例に係る包装用容器の使用状態の斜視図。
【図１４】図１３の包装用容器におけるシート材の展開図。
【図１５】他の例に係る包装用容器の使用状態の斜視図。
【図１６】図１５の包装用容器におけるシート材の展開図。
【図１７】他の例に係る包装用容器の使用状態の斜視図。
【図１８】図１７の包装用容器におけるシート材の展開図。
【図１９】他の例に係る包装用容器の使用状態の斜視図。
【図２０】図１９の包装用容器におけるシート材の展開図。
【図２１】他の例に係る包装用容器の使用状態の斜視図。
【図２２】図２１の包装用容器の一部断面側面図。
【図２３】他の例に係る包装用容器の一部断面側面図。
【図２４】他の例に係る包装用容器の一部断面側面図。
【発明を実施するための形態】
【００１５】
この発明を実施するための一形態を、以下図面を用いて説明する。  
図１に示した包装用容器１１は、商品を陳列して販売するために包装するものである。商品１２としては、例えば薬品類や化粧品類のクリームのように容器に包装されたもののほか、容器のないものであってもよい。包装用容器１１の具体的な形態は商品１２の形態に応じて適宜設計され得る。
【００１６】
まず、図１の包装用容器１１について説明したのち、その他の例をいくつか説明する。
【００１７】
図１の包装用容器１１は、商品１２を収容する収容空間１３がシート材１５を折り曲げて形成されたものであって、シート材１５と、商品１２を収容し収容空間１３に備えられる包装カプセル１７で構成されている。
【００１８】
シート材１５は、各種の紙や合成樹脂で形成され、複数の折り曲げ線を有する。一枚ものであるほか、複数の部材を接合して構成することもできる。シート材１５を合成樹脂で構成する場合には、全体または一部が透光性を有するものとすることもできる。
【００１９】
シート材１５は、収容空間１３を支える方形状の支持台部５１と、支持台部５１の後側の一辺と一体の背板部５２と、支持台部５１の前側の一辺と一体の保持枠部５３を有している。
【００２０】
支持台部５１は、シート材１５の展開状態を示す図２のように、収容空間１３の底面を視認可能にする窓部５４を中央に有している。この例の包装用容器１１は包装カプセル１７を備えるので、窓部５４からは包装カプセル１７の底面を視認できる。窓部５４は包装カプセル１７の形状に合わせて円形であり、貫通穴で構成されている。
【００２１】
支持台部５１における背板部５２側の両角部には、包装カプセル１７の一部を差し込んで固定する差し込み部５５が切り込みで形成されている。差し込み部５５は、窓部５４の中心方向に向けて突出する形の略半円弧状の円弧状部５５ａと、円弧状部５５ａの両端において逆方向に曲がり円弧状部５５ａよりも小さい略半円弧状の端部円弧５５ｂで構成されている。
【００２２】
背板部５２は、起立したときに上になる上端部が円弧状に形成され、この上端部に近い幅方向中央部分に、吊り下げ用の吊り下げ穴５６が形成されている。背板部５２の上端部及び吊り下げ穴５６は図示例ではそれぞれ円弧状及び円形の貫通穴としたが、その他の形状であってもよい。また円弧状をなす上端部の幅方向（左右方向）両端縁に、背板部５２が起立したときに縦長となる略長方形状の係止耳部５７が突設されている。
【００２３】
背板部５２と支持台部５１との間には、開封用ミシン目５８が形成されている。開封用ミシン目５８は、支持台部５１の近傍に備えられて、支持台部５１を剥がして開封する開封用ミシン目５８である。開封用ミシン目５８は、支持台部５１と背板部５２の間の折り目上に形成され、長手方向の中間部に背板部５２側に突出する半円弧状部５８ａを有する。開封に際しては、この半円弧状部５８ａに囲まれた部分に指先を当てて、指先を押し込むと、開封用ミシン目５８において破断を行うことができる。このような開封用ミシン目５８によって開封は容易に行える。
【００２４】
保持枠部５３は、本体部分５３ａが方形状で、前後方向の長さは支持台部５１よりも若干長く形成されている。保持枠部５３の本体部分５３ａの中央には、収容空間１３の上部を通す露出穴５９を備えている。この例の包装用容器１１は包装カプセル１７を備えるので、露出穴５９は包装カプセル１７の上部を、上に突き出すように通す。露出穴５９は包装カプセル１７の上部を通過させる大きさ、好ましくは嵌合対応する大きさの円形である。より正確にはごくわずかに長円形に形成されている。これは、図１に示したように組み立て時に保持枠部５３が支持台部５１の前端から背板部５２の高さ方向の中間部に向けて斜めに延びるからである。このように、包装カプセル１７又は商品に嵌合対応する大きさの形状を備えた露出穴５９であれば、包装カプセル１７又は商品をガタつきなく保持することができる。
【００２５】
保持枠部５３には、露出穴５９から収容空間１３を出した状態を保持する固定構造６０を備えている。この固定構造６０は背板部５２と結合して固定する構造で、背板部５２の係止耳部５７に係止する部位と背板部５２に沿う部位で構成される。
【００２６】
係止耳部５７に係止する部位は係止穴６０ａであり、背板部５２に沿う部位は、組み立て時に背板部５２の裏面に重合する裏面側重合片６０ｂと、組み立て時に背板部５２の表面に重合する表面側重合片６０ｃであり、いずれも保持枠部５３の本体部分５３ａにおける支持台部５１と接する辺以外の３辺の周囲に形成されている。
【００２７】
具体的には、保持枠部５３の両側部分、つまり保持枠部５３の本体部分５３ａにおける支持台部５１と接する辺と直角または略直角をなす両側の２辺に、組み立て時に露出穴５９を有する部分と交差する方向に延びる三角形状の縦片６１が形成されている。縦片６１における組み立て時に背板部５２と接する側の辺は、組み立て時に保持枠部５３が傾斜するから本体部分５３ａと接する辺との間を９０度より大きい角度で形成されている。縦片６１における組み立て時に背板部５２と接する側の辺には、短冊状の裏面側重合片６０ｂが連設されている。係止穴６０ａは、縦片６１と裏面側重合片６０ｂの間の折り曲げ線上に形成されている。係止穴６０ａの形成は折り曲げ線の上の長手方向の中間部になされる。
【００２８】
保持枠部５３の本体部分５３ａにおける支持台部５１と接する辺と反対側の辺に、表面側重合片６０ｃが形成されている。この表面側重合片６０ｃは、裏面側重合片６０ｂがある関係上、平面視等脚台形状で、組み立て時に開封用ミシン目５８の半円弧状部５８ａに対応する端部位置には半円弧状の切欠部６２が形成されている。
【００２９】
図面において、展開状態のシート材１５の折り曲げ線は破線または一点鎖線であらわしており、破線は谷折り線であり、一点鎖線は山折り線である。
【００３０】
前述のような構成のシート材１５には適宜の装飾や表示がなされる。
【００３１】
包装カプセル１７は、図２に示したように全体として中空の略半球状で、内部の商品空間１７ａを透視可能とする透光性を全体に有する。具体的には透明であるとよく、透明の合成樹脂シートを真空成型などして形成される。透光性を有する部分は全体でなくとも、商品空間１７ａを透視できる一部であってもよい。
【００３２】
この包装カプセル１７は、図３に示したように上側包装部７１と下側包装部７２で構成され、両者が着脱可能に嵌り合うことで商品空間１７ａが閉鎖される。
【００３３】
上側包装部７１は上面７１ａが半球面状で、この半球面状部より下の下端から、重合片７３が外周方向に略方形状に張りだしている。
【００３４】
下側包装部７２は上側包装部７１の下端部分が外嵌する平面視略円形の二重壁部７４を有し、この二重壁部７４の外側壁の下端から、重合片７５が外周方向に略方形状に張りだしている。
【００３５】
上側包装部７１の重合片７３と下側包装部７２の重合片７５は、商品空間１７ａを閉塞した時に互いに重なり合うものである。
【００３６】
これら重合片７３，７５の平面視形状は内外に出入りのある形状で、重合片７３，７５同士が周方向において一定の位置関係で重なり合って上側包装部７１と下側包装部７２が嵌合しあうように、上側包装部７１の下端部とこれに重なる下側包装部７２の二重壁部７４の平面視形状が非円形に形成されている。また、上側包装部７１と下側包装部７２の重なる部分には、嵌合状態を保持する嵌合部７６，７７が周方向に間隔をあけて形成されている。
【００３７】
上側包装部７１と下側包装部７２の重合片７３，７５は、図４に示したようにほとんど同形である。シート材１５の支持台部５１の差し込み部５５間に対応する部位には、差し込み部５５同士の間隔よりも若干幅狭の凸部７８が形成され、この凸部７８の両側に、差し込み部５５に対して差し込まれる差し込み片７９が形成されている。差し込み片７９は、重なり合った状態の重合片７３，７５の直角をなす角部からなる部分で、重合片７３，７５の面方向に移動して差し込み部５５に差し込まれる。
【００３８】
上側包装部７１の重合片７３における前側の両角部には、三角形状の切欠き８０が形成され、重合した重合片７３，７５の分離のための端緒となるように構成している。また、上側包装部７１の重合片７３における切欠き８０の近傍には、下に凸の直線状のリブ８１が斜めに形成され、下側包装部７２の重合片７５との密着を防止するとともに嵌合部７６，７７の嵌合が強固に行えるようにしている。
【００３９】
上側包装部７１と下側包装部７２の重合片７３，７５の大きさは、差し込み片７９を差し込み部５５に差し込んだときに、凸部７８が背板部５２との間の折り曲げ線の内側に位置し、凸部７８と反対側の前側の辺が保持枠部５３との間の折り曲げ線の内側に位置して、支持台部５１に対して背板部５２と保持枠部５３を折り曲げることができるようにするとともに、このときに包装カプセル１７をガタつきなく保持する大きさである（図５参照）。
【００４０】
図５に示したように、下側包装部７２における二重壁部７４の内側壁には段差部８２が形成されている。この段差部８２は包装カプセル１７に商品１２をガタつきなく保持する保持構造の一部である。「ガタつきなく」とは、密着するほどに接する場合のほか、多少の移動を許容する適宜の隙間を有している場合を含む意味である。許容されるこの段差部８２は、同じく保持構造の一部である上側包装部７１の天井面７１ｂとの協働で図５に仮想線で示したように商品１２が保持される。
【００４１】
段差部８２より内側には、段差部８２より下がった位置から上へ凸に低い半球面状に盛り上がる隆起部８３が形成されている。この隆起部８３の底面８３ａ、つまり包装カプセル１７の底面８３ａは、別の包装カプセル１７の上面１７ａが嵌合可能な凹部を形成する。
【００４２】
このように構成されたシート材１５と包装カプセル１７を有する包装用容器１１は、つぎのように使用される。
【００４３】
まず、包装カプセル１７内の商品空間１７ａに商品１２を収納する。包装カプセル１７を開けて商品１２を入れてから閉じると、商品１２は包装カプセル１７のなかに優しく包み込まれるように包装され、包装カプセル１７を構成する上側包装部７１と下側包装部７２は一定の位置関係で嵌合しあい、あたかも一枚もののような差し込み片７９が２つの角部に形成される。
【００４４】
この包装カプセル１７を図６に示したように、展開状態のシート材１５の支持台部５１の上に固定する。この固定は、支持台部５１の背面側の角部に形成された差し込み部５５に対して包装カプセル１７の重合片７３，７５の角部である差し込み片７９を重合片７３，７５の面方向に差し込んで行う。差し込み部５５は差し込み片７９をその面方向に差し込むものであるため、結合作業と分離作業は容易である。これによって、包装カプセル１７がシート材１５に保持されるとともに、包装カプセル１７の開封が防止される。
【００４５】
包装カプセル１７を保持した状態で、背板部５２を折り曲げ線で折り曲げて真っ直ぐに立てて、続いて保持枠部５３を折り曲げ線で折り曲げて起こし、９０度以上回転して先が背板部５２にあたるようにする。このときに、表側重合片６０ｃを谷折りして収容空間１３内で背板部５２の表面に重ねるとともに、縦片６１を立たて、係止穴６０ａと係止耳部５７の係止を行い、裏側重合片６０ｂを背板部５２の裏面に重合する。裏側重合片６０ｂは背板部５２に対して固定する。
【００４６】
組み立ての最終段階における裏側重合片６０ｂの固定は、図７に示したように裏側重合片６０ｂの内側面に両面粘着テープ９１を貼り付けて行ったり、図８に示したように裏側重合片６０ｂの上に粘着テープ９２を貼り付けたりするとよい。図９に示ししたように、一対の裏側重合片６０ｂ同士が適宜の切り込み６３で組み合わさるようにして、組み合わせて固定してもよい。図９に仮想線で示したようにその上からさらに粘着テープ９２で固定を行うことができる。
【００４７】
裏側重合片６０ｂを背板部５２の背面側にしっかりと固定することによって、係止耳部５７と係止穴６０ａの係止と、裏側重合片６０ｂと表側重合片６０ｃによる挟み付けと、包装カプセル１７の重合片７３，７５の大きさ及びシート材１５の支持台部５１と保持枠部５３の存在と、保持枠部５３の露出穴５９による包装カプセル１７の保持によって、包装カプセル１７の安定した包装状態が得られる。
【００４８】
このように構成された包装用容器１１では、背板部５２の吊り下げ穴５６を利用して吊り下げて展示したり、適宜の陳列台に置いて並べたりして陳列する。台に置いて並べる場合には、図１０に示したように包装用容器１１を縦に積み重ねて並べることもできる。これは、シート材１５の支持台部５１の窓部５４が貫通穴で構成されており、包装カプセル１７の底面に凹部８４が形成されているからである。凹部８４に包装カプセル１７の上面７１ａが嵌れば安定性も得られる。
【００４９】
このように多様な陳列ができる。商品１２や展示場所に応じて適切な展示をすることで、訴求効果を高めることができる。
【００５０】
陳列時には、シート材１５の露出穴５９と包装カプセル１７の上面７１ａをとおして商品１２の上部が見えるとともに、シート材１５の保持枠部５３と支持台部５１の間の隙間をとおして商品１２の横面が見え、さらに、シート材１５の支持台部５１の窓部５４をとおして商品１２の底面が見える。商品１２の底面に原材料や成分等が記載されている場合、それをよく見ることができる。
【００５１】
このように商品１２を多方面から視認することができ、収容空間１３内の商品が視認しやすい。このため、商品１２を取りださなくても商品１２についての認識が良好にでき、商品１２の販売が円滑に行える。
【００５２】
しかも商品１２は包装カプセル１７を介して包装されるので、新規で美麗な外観を得られ、顧客の興味や遊び心を刺激し、購買意欲を高めることができる。
【００５３】
シート材１５の露出穴５９は収容空間１３を突出させるので、収容空間１３における保持枠部５３から飛び出した部分は保持枠部５３との協働で斬新な外観を生じさせる。保持枠部５３から突出する包装カプセル１７は上面７１ａが半球面状で透明であるので、斬新な外観が得られる。この点からも訴求効果を高めることができる。
【００５４】
収容空間１３は保持枠部５３から突出するものの、縦片６１が保持枠部５３の両側で起立しているので、折り曲げて組み立てたシート材１５の形状を補強できる。そのうえ縦片６１は、本体部５３ａの露出穴５９から突出している包装カプセル１７の表面が他の物と接触するのを抑えることができる。このため包装カプセル１７を、ひいては商品１２を損傷等から保護できる。
【００５５】
包装カプセル１７の上面７１ａは半球面状であるので、円柱状または短円柱状の商品や容器を包装するのに適しており、強度も高い。
【００５６】
包装用容器１１の包装作業について言えば、前述のように一枚のシート材１５に包装カプセル１７を固定したうえでシート材１５を適宜折り曲げて差し込みや接着を行えばよい。包装カプセル１７の差し込み片７９は重合片７３，７５が重合したものであるのにもかかわらず一枚のような状態となっているので、差し込み部５５に対する差し込みは容易で、差し込みを行えば、切り込みからなる差し込み部５５で挟まれるようになって、強固に固定される。このため、包装カプセル１７とシート材１５の位置関係が定まり、包装カプセル１７が徒に動くことはない。この結果、シート材１５の折り曲げ作業が容易に行える。しかもシート材１５は折り曲げが一連の動作として容易に行える構造であるので、この点からも包装作業は容易である。
【００５７】
一旦包装が完了した包装用容器１１は、前述のように商品１２の視認性がよいので商品を事前に確認する為に開封する必要性はない。使用時の開封は、開封用ミシン目５８でシート材１５を破ってから包装カプセル１７を引っ張るか押すかして包装カプセル１７の差し込み片７９を支持台部５１の差し込み部５５から取り外せば行える。もし不正に開封等しようとしても、包装カプセル１７はシート材１５の支持台部５１と保持枠部５３と背板部５２によって取り囲まれたうえに保持枠部５３の露出穴５９に嵌ってしっかりと固定されている。そのうえ、包装カプセル１７の差し込み片７９がシート材１５の支持台部５１の差し込み部５５に差し込まれて固定されているので、折り曲げられたシート材１５をわずかに変形させる程度では容易には開封できない。
【００５８】
このため、不正開封やいたずら、包装カプセル１７または商品１２のみの盗難が行われた場合にはそれを容易に発見することができ、不正開封等の抑制に寄与する。
【００５９】
また、包装カプセル１７は保持構造として段差部８２と天井面７１ｂを有するので、包装を行う場合でも包装後の運搬や陳列でも、商品１２を安定して保持できる。このため商品１２が損傷したりすることを抑制できる。
【００６０】
以下、その他の例について説明する。この説明において前述の構成と同一または同等の部位については同一の符号を付してその詳しい説明を資料略する。
【００６１】
図１１は他の例にかかる包装カプセル１７の上側包装部７１の平面図であり、この図に示したように重合片７３における差し込み片７９となる角部に上に凸または下に凸のリブ７９ａを形成してもよい。このように構成することによって、シート材１５の支持台部５１における差し込み部５５に対する差し込み状態の保持強度を高められる。
【００６２】
図１２は他の例に係る包装カプセル１７の展開状態の平面図である。この図に示すように包装カプセル１７は上側包装部７１と下側包装部７２がヒンジ１７ｂを介して一体に形成されたものであってもよい。
【００６３】
図１３に示した包装用容器１１は、積み重ねて行う陳列がより安定して行えるようにしたものである。つまり、下に位置する包装用容器１１の背板部５２とその近傍に上から係合して位置関係を規制する係合規制部６５が縦片６１に形成されている。
【００６４】
係合規制部６５は、縦片６１の後端下部に後方に張り出し、背板部５２に対応する部位に、下から上に切り込む切欠き６５ａが形成されている。
【００６５】
このような係合規制部６５は、図１４の展開図に示したように、保持枠部５３の本体部分５３ａの背面側の両角部に食い込むように形成して得られる。図１４に示した例では吊り下げ穴５６を省略したが、吊り下穴５６を設けてもよい。
【００６６】
図１５に示した包装用容器１１は、シート材１５における保持枠部５３の両側部分に、露出穴５９を有する部分と交差する方向に延びる縦片６１が、保持枠部５３ではなく支持台部５１の両側に形成され、縦片６１で左右両側全体を隠ぺいした例である。
【００６７】
縦片６１を支持台部５１に設けたため、保持枠部５３における支持台部５１の反対側には、背板部５２の前面の上部に重なる背板重合片６６が折り曲げ線を介して形成されている。この背板重合片６６には図１６の展開図にも示したように、吊り下げ穴５６とともに、固定構造６０としての係止耳部６０ｄも、背板部５２のそれらと同形に形成されている。背板部５２の係止耳部５７より支持台部５１側の幅方向（左右方向）両側と、保持枠部５３の幅方向（左右方向）両側には、内側に折り込まれる折り込み片６７を有する。折り込み片６７は背板部５２や保持枠部５３を補強する。係止耳部５７，６０ｄに係止する係止穴６８は、縦片６１の後方の端縁に形成された突出縁部６８ａに形成されている。
【００６８】
露出穴５９から収容空間１３を出した状態を保持する保持構造としての保持枠部５３の係止耳部６０ｄは、背板部５２の係止耳部５７と重なりあった状態で係止穴６８と係止して固定される。このように固定したうえで更に、たとえば背板重合片６６の表面から背板部５２の裏面にかけて粘着テープ（図示せず）を掛け渡すように貼り付けてもよい。
【００６９】
このような包装用容器１１は、側面からは商品１２を視認できなくても上方と下方から視認することができ、良好な視認性を確保できる。そのうえ、縦片６１が左右両側の全体を覆うので頑丈な組み立て状態が得られる。このため、包装用容器１１がたとえば陳列台上に乱雑に陳列されても、商品１２を保護することができる。
【００７０】
図１６に示した例では開封用ミシン目を備えていないが、開封用ミシン目を形成してもよい。
【００７１】
図１７に示した包装用容器１１は、図１５の例の包装用容器１１と同様に、縦片６１が左右両側全体を隠ぺいした例であるが、縦片６１の高さが、保持枠部５３の本体部分５３ａより下のみとした例である。つまり、図１８に示したように、保持枠部５３の本体部分５３ａの左右両側に三角形状の縦片６１を備え、組み立て時に縦片６１における支持台部５１と背板部５２に接する辺の長手方向の中間位置に固定構造としての挿入折り曲げ片６０ｅ，６０ｆが形成されている。これらの挿入折り曲げ片６０ｅ，６０ｆに対応する位置には、差し込み溝６９を有した受け片６９ａが折り曲げ線を介して形成されている。
【００７２】
このような構成の包装用容器１１では、露出穴５９から突出する包装カプセル１７がよく目立ち、前述の包装用容器１１とは異なった形態によって斬新さを表現することができる。
【００７３】
図１９に示した包装用容器１１は、背板部５２なしで、保持枠部５３を一対備えた例である。吊り下げ穴５６を有し背板部に類似する機能を果たす背板重合片６６は、包装用容器１１の前後方向の中間位置に形成される。すなわち図２０に示したように、方形状の支持台部５１の相反する２辺に、保持枠部５３を有する。保持枠部５３は、組み立て時に収容空間１３を斜めに覆う本体部分５３ａと、組み立て時に前後方向の中間位置で起立する背板重合片６６を有する。本体部分５３ａには収容空間１３の上部を通す露出穴５９が形成されている。この露出穴５９に対応する背板重合片６６の対応部位には、収容空間１３との干渉を避ける円弧状に入り込む切欠部６６ａが形成されている。
【００７４】
背板重合片６６の左右両側には固定構造としての係止耳部６０ｄが形成され、これに係止する固定構造としての係止穴６０ｇを有する縦片６１が、略三角形状に本体部分５３ａの左右両側に形成されている。
【００７５】
このような構成の包装用容器１１では、背板重合片６６が前後方向の中間位置で立った状態であり、その下に露出穴５９から突出する包装カプセル１７が存在するので、前述の包装用容器１１とは異なった形態によって斬新さを表現することができる。背板重合片６６の位置が前後方向の中間位置であることから、単に吊り下げた場合であっても吊り下げ時の姿勢がきれいで安定する。また、背板重合片６６と縦片６１により包装カプセル１７が他の物と当たることを極力回避できるので、包装カプセル１７の保護ができる。
【００７６】
図２１は包装カプセル１７を省略した包装用容器１１の使用状態の斜視図である。この包装用容器１１のシート材１５は前述と同一の構成で、商品１２を支持台部５１に対して直接固定し、保持枠部５３の露出穴５９から商品１２の上部を出している。商品１２の固定は、図２２に示したように両面粘着テープ９１で固定するとよい。剥がしても粘着剤が残らないタイプの粘着テープを使用することで、商品１２の棄損を回避できる。シート材１５の支持台部５１の窓部５４を省略する場合には、商品１２の底面全体に貼り付けを行ってもよい。
【００７７】
図２３は、包装カプセル１７に代えて、シュリンク包装や包装袋等の包装材１８を使用した包装用容器１１の例である。この場合にも商品１２は、前述と同様に保持枠部５３の露出穴５９から上部を出した状態で両面粘着テープ９１等を用いて支持台部５１に貼り付けて保持される。
【００７８】
図２４は、シート材１５の保持枠部５３における露出穴５９に上方に突出するカバー部材８６を取り付けて、収容空間１３の境界を画定した例を示している。カバー部材８６は、透光性を有する合成樹脂製で、略半球状に突出する中空形状の本体部８６ａと、この本体部８６ａの下端で外周に張りだす固定縁部８６ｂを有し、本体部８６ａを露出穴５９から上に出した状態で固定縁部８６ｂが露出穴５９周囲の裏面に固定される。固定は接着や溶着等の適宜手段で行える。
【００７９】
このような包装用容器１１では、商品１２は、商品１２自体、または商品１２を収めたり包んだりした別の部材を支持台部５１に適宜の手段で固定する。固定は、接着などのほか、図示は省略するが、支持台部５１に切り込みを設けたり、別体の適宜の保持手段を固定したりして行うこともできる。
【００８０】
このような構成では、包装カプセル１７なしでも包装カプセル１７を有するような外観が簡単に得られる。
【００８１】
この発明の構成と、前述の一形態の構成との対応において、  
この発明の保持構造は、前述の段差部８２と天井面７１ｂに対応するも、  
この発明は前述の構成のみに限定されるものではなく、その他の構成を採用することもできる。
【００８２】
たとえば、包装カプセルの上面形状は、半球面状のほか、たとえばダイヤモンドカット形状や動物やキャラクターをかたどった形状など、その他の形状であってもよい。収容する商品に合わせた適宜の構成を採用できる。
【００８３】
シート材の差し込み部に包装カプセルの差し込み片を角部の全体に形成した例を示したが、差し込み片は角部などの一部に形成してもよい。この場合、差し込み片の差し込み方向は適宜設定される。
【００８４】
包装カプセルは内部を直接視認できる切欠きなどが一部にあるものであってもよい。
【００８５】
シート材の支持台部における窓部は貫通穴でなくてもよく、透明のフィルムを貼るなどしてもよい。
【符号の説明】
【００８６】
１１…包装用容器
１２…商品
１３…収容空間
１５…シート材
１７…包装カプセル
５１…支持台部
５３…保持枠部
５４…窓部
５５…差し込み部
５８…開封用ミシン目
５９…露出穴
６０…固定構造
６１…縦片
７１…上側包装部
７１ａ…上面
７１ｂ…天井面
７２…下側包装部
７３，７５…重合片
８２…段差部
８４…凹部
【図１】
2017039520.tif 000003
【図２】
2017039520.tif 000004
【図３】
2017039520.tif 000005
【図４】
2017039520.tif 000006
【図５】
2017039520.tif 000007
【図６】
2017039520.tif 000008
【図７】
2017039520.tif 000009
【図８】
2017039520.tif 000010
【図９】
2017039520.tif 000011
【図１０】
2017039520.tif 000012
【図１１】
2017039520.tif 000013
【図１２】
2017039520.tif 000014
【図１３】
2017039520.tif 000015
【図１４】
2017039520.tif 000016
【図１５】
2017039520.tif 000017
【図１６】
2017039520.tif 000018
【図１７】
2017039520.tif 000019
【図１８】
2017039520.tif 000020
【図１９】
2017039520.tif 000021
【図２０】
2017039520.tif 000022
【図２１】
2017039520.tif 000023
【図２２】
2017039520.tif 000024
【図２３】
2017039520.tif 000025
【図２４】
2017039520.tif 000026